(57)【要約】  本発明の表示装置は、光源（５）と、光源の出射光を拡散する拡散板（１０）と、拡散板を支持する支持台（６）と、拡散板上に配される光学シート（７）と、支持台に取り付けられるとともに光学シートを避けて拡散板を押圧することにより支持台との間で拡散板を挟持する拡散板押え（２１）と、拡散板に対向する表示パネル（２）とを備えている。  本発明によると、剛性の大きい拡散板押え（２１）で拡散板（１０）を押圧することによって、昇温による拡散板（１０）の反りを抑制することができる。そして、光学シート（７）は拡散板押え（２１）に押圧されないため伸縮自在に配することができ、昇温によるしわを防止することができる。従って、拡散板（１０）が大型になっても良好な表示画像を得ることができる。
2008146498.tif 000002
【特許請求の範囲】
【請求項１】
光源と、前記光源の出射光を拡散する拡散板と、前記拡散板を支持する支持台と、前記拡散板上に配される光学シートと、前記支持台に取り付けられるとともに前記光学シートを避けて前記拡散板を押圧することにより前記支持台との間で前記拡散板を挟持する拡散板押えと、前記拡散板に対向する表示パネルとを備えたことを特徴とする表示装置。
【請求項２】
請求項１に記載の表示装置であって、
前記拡散板押えに対して前記拡散板を摺動自在にした。
【請求項３】
請求項２に記載の表示装置であって、
前記拡散板押えは前記拡散板と接触する部分が樹脂から成る。
【請求項４】
請求項２に記載の表示装置であって、
前記拡散板押えは前記拡散板に線接触または点接触する。
【請求項５】
請求項４に記載の表示装置であって、
前記拡散板押えが前記拡散板に接触する回転自在のローラーを有する。
【請求項６】
請求項１に記載の表示装置であって、
前記拡散板押えは金属または金属化合物から成る。
【請求項７】
請求項１に記載の表示装置であって、
前記拡散板押えの表面を白色系の色または黒色にした。
【請求項８】
請求項１に記載の表示装置であって、
前記拡散板押えは前記拡散板を押圧する方向に付勢する付勢手段を有する。
【請求項９】
請求項１に記載の表示装置であって、
前記支持台の前記拡散板押えと異なる位置に取り付けられる光学シート押えを備え、前記支持台と前記光学シート押えとの間に前記拡散板及び前記光学シートを挟むとともに、前記光学シート押えの押圧力が前記拡散板押えの押圧力よりも小さい。
【請求項１０】
請求項１に記載の表示装置を備えたことを特徴とするテレビ受信装置。
【発明の詳細な説明】
【技術分野】
【０００１】
本発明は、液晶パネル等の表示パネルに対向する拡散板を備えた表示装置及びテレビ受信装置に関する。
【背景技術】
【０００２】
従来のテレビ受信装置等の表示装置は特許文献１に開示されている。この表示装置は液晶パネル等の表示パネルの背面側に照明装置が配される。照明装置はシャーシに支持される光源及び拡散板を有している。拡散板は表示パネルに対向配置され、背面側に配された光源の出射光を拡散して表示パネルに導く。【０００３】
拡散板の出射側にはレンズシートやプリズムシート等の光学シートが設けられている。拡散板及び光学シートはシャーシに取り付けられた押え金具とシャーシによって周部を挟んで保持される。これにより、シャーシに拡散板及び光学シートが一体に取り付けられる。【０００４】
また、光学シートは光源を点灯した際に昇温により延びるため、押え金具の押圧力が強いと光学シートにしわが発生して表示パネルの表示画像の一部が暗くなる。このため、押え金具と光学シートと間には隙間が設けられ、光学シートを伸縮自在に保持して良好な画像を得ることができる。【０００５】
【特許文献１】特開２００５−２７６７１６号公報（第４頁−第５頁、第１図）
【発明の開示】
【発明が解決しようとする課題】
【０００６】
しかしながら、上記従来の表示装置によると、拡散板が大型化すると光源の点灯により昇温された際に大きな反りが発生する。図１６（ａ）、（ｂ）は拡散板の反りの状態を示す斜視図である。拡散板１０は昇温によって円筒状（図１６（ａ））や、鞍状（図１６ａ））に反り、中央部が表示パネル側に凸や凹になる。【０００７】
拡散板は反りが大きくなると押え金具に当接して押え金具が弾性変形し、拡散板が表示パネルに接触する場合がある。加えて、反った拡散板と押え金具との間に光学シートが挟まれ、温度上昇によって延びた光学シートにしわが発生する。これにより、良好な表示画像を得られない問題があった。押え金具を剛性の大きな部材により形成すると拡散板の反りを抑制できるが、光学シートのしわを解消できない。【０００８】
本発明は、良好な画像を得ることのできる表示装置及びそれを備えたテレビ受信装置を提供することを目的とする。
【課題を解決するための手段】
【０００９】
上記目的を達成するために本発明は、光源と、前記光源の出射光を拡散する拡散板と、前記拡散板を支持する支持台と、前記拡散板上に配される光学シートと、前記支持台に取り付けられるとともに前記光学シートを避けて前記拡散板を押圧することにより前記支持台との間で前記拡散板を挟持する拡散板押えと、前記拡散板に対向する表示パネルとを備えたことを特徴としている。【００１０】
この構成によると、光源の出射光は拡散板に入射して拡散される。拡散板の出射光はレンズシートやプリズムシート等の光学シートに入射して集光される。表示パネルは光学シートの出射光の照射により画像が視認可能に表示される。拡散板を支持する支持台には拡散板押えが取り付けられ、支持台と拡散板押えとによって拡散板が挟持される。拡散板押えは光学シートを避けて拡散板を押圧し、光学シートが伸縮自在に保持される。光源の点灯によって昇温される拡散板は拡散板押えによって反りが抑制される。【００１１】
また本発明は、上記構成の表示装置において、前記拡散板押えに対して前記拡散板を摺動自在にしたことを特徴としている。この構成によると、拡散板は伸縮自在に保持され、光源の点灯によって昇温される拡散板が膨張して拡散板押えと摺動する。【００１２】
また本発明は、上記構成の表示装置において、前記拡散板押えは前記拡散板と接触する部分が樹脂から成ることを特徴としている。この構成によると、拡散板押えの樹脂部分が拡散板と摺動する。拡散板押えを樹脂により形成してもよく、拡散板押えの一部を樹脂により形成してもよい。【００１３】
また本発明は、上記構成の表示装置において、前記拡散板押えは前記拡散板に線接触または点接触することを特徴としている。【００１４】
また本発明は、上記構成の表示装置において、前記拡散板押えが前記拡散板に接触する回転自在のローラを有することを特徴としている。【００１５】
また本発明は、上記構成の表示装置において、前記拡散板押えが金属または金属化合物から成ることを特徴としている。【００１６】
また本発明は、上記構成の表示装置において、前記拡散板押えの表面を白色系の色または黒色にしたことを特徴としている。白色系の色には白色だけでなく淡い黄色等が含まれる。【００１７】
また本発明は、上記構成の表示装置において、前記拡散板押えは前記拡散板を押圧する方向に付勢する付勢手段を有することを特徴としている。この構成によると、拡散板は付勢手段の付勢力により支持材に押圧される。【００１８】
また本発明は、上記構成の表示装置において、前記支持台の前記拡散板押えと異なる位置に取り付けられる光学シート押えを備え、前記支持台と前記光学シート押えとの間に前記拡散板及び前記光学シートを挟むとともに、前記光学シート押えの押圧力が前記拡散板押えの押圧力よりも小さいことを特徴としている。この構成によると、光学シート押えは拡散板押えと異なる位置に配されて拡散板と光学シートとを押える。光学シート押えの押圧力は拡散板押えの押圧力よりも小さく、光学シートが伸縮自在に保持される。光学シート押えの押圧力がない状態にしてもよい。【００１９】
また本発明のテレビ受信装置は、上記構成の表示装置を備えたことを特徴としている。
【発明の効果】
【００２０】
本発明によると、拡散板押えが光学シートを避けて拡散板を押圧して拡散板が挟持されるので、剛性の大きい拡散板押えで拡散板を押圧することによって昇温による拡散板の反りを抑制することができる。この時、光学シートは拡散板押えに押圧されないため伸縮自在に配することができ、昇温によるしわを防止することができる。従って、拡散板が大型になっても良好な表示画像を得ることができる。【００２１】
また本発明によると、拡散板押えに対して拡散板を摺動自在にしたので、光源の点灯により拡散板が昇温した際に膨張による拡散板の変形を防止することができる。【００２２】
また本発明によると、拡散板押えは拡散板と接触する部分が樹脂から成るので、拡散板を拡散板押えに対して容易に摺動自在にすることができる。【００２３】
また本発明によると、拡散板押えは拡散板に線接触または点接触するので、拡散板を拡散板押えに対して容易に摺動自在にすることができる。【００２４】
また本発明によると、拡散板押えが拡散板に接触する回転自在のローラを有するので、拡散板を拡散板押えに対して容易に摺動自在にすることができる。【００２５】
また本発明によると、拡散板押えが金属または金属化合物から成るので、剛性の高い拡散板押えを簡単に得ることができる。従って、拡散板の反りを容易に抑制することができる。更に、拡散板の反りを抑制する剛性を有しつつ、拡散板が摺動できる程度の弾性を持たせた形状を容易に形成することができる。【００２６】
また本発明によると、拡散板押えの表面を白色系の色または黒色にしたので、表示画面を斜め方向から視た際の画像劣化を防止することができる。【００２７】
また本発明によると、拡散板押えは拡散板を押圧する方向に付勢する付勢手段を有するので、拡散板押えの押圧力のばらつきを低減して拡散板の反りを確実に抑制することができる。【００２８】
また本発明によると、拡散板押えと異なる位置で光学シートを押える光学シート押えの押圧力が拡散板押えの押圧力よりも小さいので、光学シートを簡単に伸縮自在に保持して昇温によるしわを確実に防止することができる。
【図面の簡単な説明】
【００２９】
【図１】本発明の第１実施形態の表示装置を示す側面断面図
【図２】本発明の第１実施形態の表示装置の拡散板を示す平面図
【図３】本発明の第２実施形態の表示装置の拡散板押えを示す側面図
【図４】本発明の第３実施形態の表示装置の拡散板押えを示す側面図
【図５】本発明の第４実施形態の表示装置の拡散板押えを示す側面図
【図６】本発明の第５実施形態の表示装置の拡散板押えを示す側面図
【図７】本発明の第６実施形態の表示装置の拡散板押えを示す側面図
【図８】本発明の第７実施形態の表示装置の拡散板押えを示す側面図
【図９】本発明の第８実施形態の表示装置の拡散板押えを示す側面図
【図１０】本発明の第９実施形態の表示装置の拡散板押えを示す側面図
【図１１】本発明の第１０実施形態の表示装置の拡散板押えを示す側面図
【図１２】本発明の第１１実施形態の表示装置の拡散板押えを示す側面図
【図１３】本発明の第１２実施形態の表示装置の拡散板押えを示す側面図
【図１４】本発明の第１３実施形態の表示装置の拡散板押えを示す側面図
【図１５】本発明の第１４実施形態の表示装置の拡散板押えを示す側面図
【図１６】拡散板の反りの状態を示す斜視図
【符号の説明】
【００３０】
１    表示装置
２    表示パネル
３    照明装置
４    バックシャーシ
５    光源
６    支持台
７    光学シート
８    フレーム
９    フロントシャーシ
１０    拡散板
１１    ネジ
１２    光学シート押え
２１〜３４  拡散板押え
【発明を実施するための最良の形態】
【００３１】
以下に本発明の実施形態を図面を参照して説明する。図１は第１実施形態の表示装置を示す側面断面図である。表示装置１は液晶パネル等の表示パネル２の背面側に照明装置３が配されている。表示パネル２はマトリクス状に配列された画素を有し、照明装置３から出射される光が表示パネル２の所定画素を透過して画像が表示される。【００３２】
照明装置３は背面側を覆うバックシャーシ４を備え、バックシャーシ４によって光源５が保持される。光源５は所定周期で配された複数の柱状の蛍光管から成っている。光源５を蛇行した蛍光管により形成してもよい。【００３３】
バックシャーシ４には拡散板１０を支持する支持台６が一体に設けられる。拡散板１０は拡散材を保持した板状の透光性部材から成り、光源５の出射光を拡散する。拡散板１０は支持台６上に設置され、ネジ１１により支持台６にネジ止めされる拡散板押え２１により周部が押圧される。これにより、拡散板１０は支持台６と拡散板押え２１とによって挟持される。【００３４】
拡散板押え２１は剛性の大きな板状の金属または金属化合物から成り、拡散板１０が熱変形して拡散板押え２１を押圧しても弾性変形が小さい。また、拡散板押え２１は拡散板１０が摺動可能な押圧力になるようにネジ１１が締付けられ、拡散板１０が熱膨張した際に摺動自在になっている。【００３５】
拡散板１０上にはプリズムシートやレンズシート等の光学シート７が配される。光学シート７によって拡散板１０の出射光が所定の視野角に集光される。光学シート７は後述する光学シート押え１２（図２参照）により保持される。表示パネル２はバックシャーシ４に取り付けられたフレーム８及びフロントシャーシ９により挟持され、拡散板１０に対向配置される。【００３６】
図２は拡散板１０の平面図を示している。拡散板１０は平面形状が矩形に形成され、各辺の複数箇所が拡散板押え２１により押圧される。光学シート７は拡散板１０よりも面積が狭く、拡散板押え２１よりも内側に配される。従って、拡散板押え２１は光学シート７を避けて拡散板１０を押圧する。尚、図中、Ｄは表示パネル２の表示画面を示している。【００３７】
光学シート７の周部には光学シート押え１２が設けられる。光学シート押え１２は拡散板押え２１と異なる位置に配されて支持台６（図１参照）にネジ止めされる。これにより、支持台６と光学シート押え１２とによって拡散板１０及び光学シート７が挟まれる。光学シート押え１２が光学シート７を押圧する押圧力は拡散板押え２１が拡散板１０を押圧する押圧力よりも小さくなっている。これにより、光学シート７が熱膨張及び熱収縮によって伸縮自在になっている。光学シート押え１２と光学シート７との間に隙間を設けて光学シート押え１２による押圧力がない状態にしてもよい。【００３８】
上記構成の表示装置１において、光源５から出射される光は拡散板１０に入射する。拡散板１０の入射光は拡散され、拡散光が光学シート７に入射する。光学シート７に入射した光は所望の視野角の範囲に向きが揃えられ、出射して表示パネル２を照射する。これにより、表示パネル２の表示画面Ｄ上の画像を視認することができる。【００３９】
本実施形態によると、拡散板押え２１が光学シート７を避けて拡散板１０を押圧して拡散板１０が挟持されるので、剛性の大きい拡散板押え２１で拡散板１０を押圧することによって光源５を点灯した際の昇温による拡散板１０の反りを抑制することができる。この時、光学シート７は拡散板押え１２に押圧されないため伸縮自在に配することができ、昇温によるしわを防止することができる。従って、拡散板１０が大型になっても良好な表示画像を得ることができる。【００４０】
また、拡散板押え２１に対して拡散板１０を摺動自在にしたので、光源５の点灯により拡散板１０が昇温された際に、膨張によって拡散板１０の中央部が盛り上がるような変形を防止することができる。【００４１】
また、拡散板押え２１と異なる位置で光学シート７を押える光学シート押え１２の押圧力が拡散板押え２１の押圧力よりも小さいので、光学シート７を簡単に伸縮自在に保持して昇温によるしわを確実に防止することができる。【００４２】
次に、図３は第２実施形態の表示装置１の拡散板押えを示す側面図である。本実施形態の拡散板押え２２は複数の金属板を重ね合わせて形成されている。その他の部分は第１実施形態と同様である。【００４３】
拡散板押え２２は摺動性のよい金属板２２ａと剛性の高い金属板２２ｂとが重ねられ、金属板２２ａが拡散板１０に接して配される。従って、第１実施形態と同様の効果に加えて、昇温により膨張する拡散板１０と拡散板押え２２とを容易に摺動させることができる。金属板２２ａ、２２ｂを金属化合物により形成してもよい。【００４４】
次に、図４は第３実施形態の表示装置１の拡散板押えを示す側面図である。本実施形態の拡散板押え２３は金属板２３ｂに樹脂板２３ａを貼着して形成されている。その他の部分は第１実施形態と同様である。【００４５】
拡散板押え２３は摺動性のよい樹脂板２３ａと剛性の高い金属板２３ｂとが重ねられ、樹脂板２３ａが拡散板１０に接して配される。従って、第１実施形態と同様の効果に加えて、昇温により膨張する拡散板１０と拡散板押え２３とを容易に摺動させることができる。拡散板押え２３全体を剛性の大きい樹脂により形成してもよく、金属板２３ｂを金属化合物により形成してもよい。【００４６】
次に、図５は第４実施形態の表示装置１の拡散板押えを示す側面図である。本実施形態の拡散板押え２４は板状の金属または金属化合物から成り、絞り加工等によって表面に突起部２４ａが形成されている。その他の部分は第１実施形態と同様である。【００４７】
拡散板押え２４の突起部２４ａの表面は紙面に垂直な方向に延びる曲面から成り、突起部２４ａが拡散板１０に線接触する。従って、第１実施形態と同様の効果に加えて、昇温により膨張する拡散板１０と拡散板押え２４とを容易に摺動させることができる。突起部２４ａを拡散板１０に点接触するように形成してもよい。【００４８】
次に、図６は第５実施形態の表示装置１の拡散板押えを示す側面図である。本実施形態の拡散板押え２５は板状の金属または金属化合物の表面に多数の突起部２５ａが形成されている。その他の部分は第１実施形態と同様である。【００４９】
拡散板押え２５の突起部２５ａはシボ加工等によって形成され、各突起部２５ａが極めて小さく拡散板１０に点接触する。従って、第１実施形態と同様の効果に加えて、昇温により膨張する拡散板１０と拡散板押え２５とを容易に摺動させることができる。突起部２５ａを拡散板１０に線接触するように形成してもよい。【００５０】
次に、図７は第６実施形態の表示装置１の拡散板押えを示す側面図である。本実施形態の拡散板押え２６は板状の金属または金属化合物から成り、折曲によって一部が波板状に形成されている。その他の部分は第１実施形態と同様である。【００５１】
拡散板押え２６は紙面に垂直な方向に延びる波板部分が拡散板１０に線接触する。従って、第１実施形態と同様の効果に加えて、昇温により膨張する拡散板１０と拡散板押え２６とを容易に摺動させることができる。【００５２】
次に、図８は第７実施形態の表示装置１の拡散板押えを示す側面図である。本実施形態の拡散板押え２７は板状の金属または金属化合物の先端にローラー２７ａが設けられている。その他の部分は第１実施形態と同様である。【００５３】
拡散板押え２７のローラー２７ａは紙面に垂直な軸の回りに回転し、ローラー２７ａが拡散板１０に線接触する。従って、第１実施形態と同様の効果に加えて、ローラー２７ａの回転によって昇温により膨張する拡散板１０と拡散板押え２７とを容易に摺動させることができる。ローラー２７ａを回転自在な球状に形成して拡散板１０に点接触させてもよい。【００５４】
次に、図９は第８実施形態の表示装置１の拡散板押えを示す側面図である。本実施形態の拡散板押え２８は板状の金属または金属化合物を絞り加工等により湾曲した湾曲部２８ａを有している。その他の部分は第１実施形態と同様である。【００５５】
拡散板押え２８の湾曲部２８ａは紙面に垂直な方向に延びた曲面から成り、拡散板１０に線接触する。湾曲部２８ａの一端は開放され、弾性変形して拡散板１０を押圧する。即ち、湾曲部２８ａが拡散板１０を付勢する付勢手段を構成する。湾曲部２８ａの弾性力は拡散板１０の熱による反りを押えることができ、拡散板１０が摺動可能な大きさになっている。従って、第１実施形態と同様の効果を得ることができる。【００５６】
また、拡散板押え２８による拡散板１０の押圧力はネジ１１の締付け力の依存が少なく、湾曲部２８ａの弾性力に大きく依存する。湾曲部２８ａの弾性力は形状によって容易に均一化できるため、拡散板押え２８の押圧力のばらつきを低減して拡散板１０の反りを確実に抑制することができる。【００５７】
次に、図１０は第９実施形態の表示装置１の拡散板押えを示す側面図である。本実施形態の拡散板押え２９は板状の金属または金属化合物の先端に金属、金属化合物または樹脂製の湾曲した湾曲部２９ａが固着されている。その他の部分は第１実施形態と同様である。【００５８】
拡散板押え２９の湾曲部２９ａは紙面に垂直な方向に延びた曲面から成り、拡散板１０に線接触する。湾曲部２９ａの一端は開放され、弾性変形して拡散板１０を押圧する。即ち、湾曲部２９ａが拡散板１０を付勢する付勢手段を構成する。湾曲部２９ａの弾性力は拡散板１０の熱による反りを押えることができ、拡散板１０が摺動可能な大きさになっている。【００５９】
従って、第１実施形態と同様の効果を得ることができる。また、弾性力を容易に均一化できる湾曲部２９ａによって拡散板押え２９の押圧力のばらつきを低減し、拡散板１０の反りを確実に抑制することができる。【００６０】
次に、図１１は第１０実施形態の表示装置１の拡散板押えを示す側面図である。本実施形態の拡散板押え３０は板状の金属または金属化合物の先端に圧縮バネ３０ａが固着されている。その他の部分は第１実施形態と同様である。【００６１】
圧縮バネ３０ａの先端には平板から成る当接部３０ｂが設けられ、当接部３０ｂが拡散板１０に接触する。拡散板押え３０は圧縮バネ３０ａが弾性変形して拡散板１０を押圧する。即ち、圧縮バネ３０ａが拡散板１０を付勢する付勢手段を構成する。圧縮バネ３０ａの弾性力は拡散板１０の熱による反りを押えることができ、拡散板１０が摺動可能な大きさになっている。【００６２】
従って、第１実施形態と同様の効果を得ることができる。また、弾性力を容易に均一化できる圧縮バネ３０ａによって拡散板押え３０の押圧力のばらつきを低減し、拡散板１０の反りを確実に抑制することができる。【００６３】
次に、図１２は第１１実施形態の表示装置１の拡散板押えを示す側面図である。本実施形態の拡散板押え３１は板状の金属または金属化合物から成り、先端を渦巻き状に巻いた渦巻き状部３１ａが設けられている。その他の部分は第１実施形態と同様である。【００６４】
渦巻き状部３１ａは隙間を有して巻回されて弾性変形可能になっており、拡散板１０に線接触する。拡散板押え３１は渦巻き状部３１ａが弾性変形して拡散板１０を押圧する。即ち、渦巻き状部３１ａが拡散板１０を付勢する付勢手段を構成する。渦巻き状部３１ａの弾性力は拡散板１０の熱による反りを押えることができ、拡散板１０が摺動可能な大きさになっている。【００６５】
従って、第１実施形態と同様の効果を得ることができる。また、弾性力を容易に均一化できる渦巻き状部３１ａによって拡散板押え３１の押圧力のばらつきを低減し、拡散板１０の反りを確実に抑制することができる。【００６６】
次に、図１３は第１２実施形態の表示装置１の拡散板押えを示す側面図である。本実施形態の拡散板押え３２は板状の金属または金属化合物の先端に圧縮バネ３２ａが固着されている。その他の部分は第１実施形態と同様である。【００６７】
拡散板押え３２は圧縮バネ３２ａがフレーム８（図１参照）に当接し、圧縮バネ３２ａと反対側の面が拡散板１０に接触する。拡散板押え３２は圧縮バネ３２ａが弾性変形して拡散板１０を押圧する。即ち、圧縮バネ３２ａが拡散板１０を付勢する付勢手段を構成する。圧縮バネ３２ａの弾性力は拡散板１０の熱による反りを押えることができ、拡散板１０が摺動可能な大きさになっている。【００６８】
従って、第１実施形態と同様の効果を得ることができる。また、弾性力を容易に均一化できる圧縮バネ３２ａによって拡散板押え３２の押圧力のばらつきを低減し、拡散板１０の反りを確実に抑制することができる。【００６９】
次に、図１４は第１３実施形態の表示装置１の拡散板押えを示す側面図である。本実施形態の拡散板押え３３は板状の金属または金属化合物から成り、先端を渦巻き状に巻いた渦巻き状部３３ａが設けられている。その他の部分は第１実施形態と同様である。【００７０】
渦巻き状部３３ａは隙間を有して巻回されて弾性変形可能になっている。拡散板押え３３は渦巻き状部３３ａがフレーム８（図１参照）に当接し、渦巻き状部３３ａと反対側の面が拡散板１０に接触する。拡散板押え３３は渦巻き状部３３ａが弾性変形して拡散板１０を押圧する。即ち、渦巻き状部３３ａが拡散板１０を付勢する付勢手段を構成する。渦巻き状部３３ａの弾性力は拡散板１０の熱による反りを押えることができ、拡散板１０が摺動可能な大きさになっている。【００７１】
従って、第１実施形態と同様の効果を得ることができる。また、弾性力を容易に均一化できる渦巻き状部３３ａによって拡散板押え３３の押圧力のばらつきを低減し、拡散板１０の反りを確実に抑制することができる。【００７２】
次に、図１５は第１４実施形態の表示装置１の拡散板押えを示す側面図である。本実施形態の拡散板押え３４は複数の板状の金属または金属化合物を重ねて形成され、上部に配される金属板を折曲した折曲部３４ａが形成される。その他の部分は第１実施形態と同様である。【００７３】
拡散板押え３４は折曲部３４ａがフレーム８（図１参照）に当接し、折曲部３４ａと反対側の面が拡散板１０に接触する。拡散板押え３４は板バネ状の折曲部３４ａが弾性変形して拡散板１０を押圧する。即ち、折曲部３４ａが拡散板１０を付勢する付勢手段を構成する。折曲部３４ａの弾性力は拡散板１０の熱による反りを押えることができ、拡散板１０が摺動可能な大きさになっている。【００７４】
従って、第１実施形態と同様の効果を得ることができる。また、弾性力を容易に均一化できる折曲部３４ａによって拡散板押え３４の押圧力のばらつきを低減し、拡散板１０の反りを確実に抑制することができる。【００７５】
第１〜第１４実施形態において、拡散板押え２１〜３４の少なくとも表示パネル２側の表面を白色系の色または黒色にするとより望ましい。即ち、拡散板押え２１〜３４の表面を白色系の色にすると表示画面Ｄを斜め方向から視た際に画像への拡散板押え２１〜３４の映り込みを防止できる。これにより、画像劣化を防止することができる。白色系の色のは白色の他に淡い黄色等が含まれる。【００７６】
加えて、拡散板押え２１〜３４の表面を白色にすると、拡散板１０から斜め方向に出射される光を拡散板押え２１〜３４で反射させることができる。従って、照明装置３の照明光をより有効に利用することができる。【００７７】
また、拡散板押え２１〜３４の表面を黒色にすると、表示画面Ｄを斜め方向から視た際に画像に拡散板押え２１〜３４の映り込みがあっても表示画像Ｄの外側と一体に見える。これにより、画像劣化を防止することができる。
【産業上の利用可能性】
【００７８】
本発明によると、液晶パネル等の表示パネルに対向する拡散板を備えた表示装置に利用することができる。
【図１】
2008146498.tif 000003
【図２】
2008146498.tif 000004
【図３】
2008146498.tif 000005
【図４】
2008146498.tif 000006
【図５】
2008146498.tif 000007
【図６】
2008146498.tif 000008
【図７】
2008146498.tif 000009
【図８】
2008146498.tif 000010
【図９】
2008146498.tif 000011
【図１０】
2008146498.tif 000012
【図１１】
2008146498.tif 000013
【図１２】
2008146498.tif 000014
【図１３】
2008146498.tif 000015
【図１４】
2008146498.tif 000016
【図１５】
2008146498.tif 000017
【図１６】
2008146498.tif 000018
【手続補正書】
【提出日】平成21年11月2日(2009.11.2)
【手続補正１】
【補正対象書類名】特許請求の範囲
【補正対象項目名】全文
【補正方法】変更
【補正の内容】
【特許請求の範囲】
【請求項１】
光源と、前記光源の出射光を拡散する拡散板と、前記拡散板を支持する支持台と、前記拡散板上に配される光学シートと、前記支持台に取り付けられるとともに前記光学シートを避けて前記拡散板を押圧することにより前記支持台との間で前記拡散板を挟持する拡散板押えと、前記拡散板に対向する表示パネルとを備え、
前記拡散板押えに対して前記拡散板を摺動自在にしたことを特徴とする表示装置。
【請求項２】
請求項１に記載の表示装置であって、
前記拡散板押えは前記拡散板と接触する部分が樹脂から成る。
【請求項３】
請求項１または請求項２に記載の表示装置であって、
前記拡散板押えは前記拡散板に線接触または点接触する。
【請求項４】
請求項３に記載の表示装置であって、
前記拡散板押えが前記拡散板に接触する回転自在のローラーを有する。
【請求項５】
請求項１〜請求項４のいずれかに記載の表示装置であって、
前記拡散板押えは金属または金属化合物から成る。
【請求項６】
請求項１〜請求項５のいずれかに記載の表示装置であって、
前記拡散板押えの表面を白色系の色または黒色にした。
【請求項７】
請求項１〜請求項６のいずれかに記載の表示装置であって、
前記拡散板押えは前記拡散板を押圧する方向に付勢する付勢手段を有する。
【請求項８】
請求項１〜請求項７のいずれかに記載の表示装置であって、
前記支持台の前記拡散板押えと異なる位置に取り付けられる光学シート押えを備え、前記支持台と前記光学シート押えとの間に前記拡散板及び前記光学シートを挟むとともに、前記光学シート押えの押圧力が前記拡散板押えの押圧力よりも小さい。
【請求項９】
請求項１〜請求項８のいずれかに記載の表示装置を備えたことを特徴とするテレビ受信装置。
【国際調査報告】
2008146498.tif 000019
2008146498.tif 000020
2008146498.tif 000021
2008146498.tif 000022
2008146498.tif 000023
2008146498.tif 000024
2008146498.tif 000025
2008146498.tif 000026